(57)【要約】      （修正有）【課題】携帯性の優れた塗膜転写具の提供。【解決手段】塗膜転写具本体１の先部に筒状部材を着脱自在に配置した塗膜転写具であって、筒状部材３と塗膜転写具本体１の後部を着脱自在な構成となすと共に、その筒状部材によって複数の塗膜転写具を連結可能とした塗膜転写具。【選択図】図１
0003108092.tif 000002
【実用新案登録請求の範囲】
【請求項１】
塗膜転写具本体の先部に筒状部材を着脱自在に配置した塗膜転写具であって、前記筒状部材と塗膜転写具本体の後部を着脱自在な構成となすと共に、筒状部材によって複数の塗膜転写具を連結可能としたことを特徴とする塗膜転写具。
【請求項２】
前記塗膜転写具の後部を筒状部としたことを特徴とする請求項１記載の塗膜転写具。
【請求項３】
前記筒状部材の長さを塗布具転写具本体の先端が露出しない長さとしたことを特徴とする請求項１、或いは、請求項２に記載の塗膜転写具。
【考案の詳細な説明】
【技術分野】
【０００１】
本考案は、塗膜転写具本体の先部に筒状部材を着脱自在に配置した塗膜転写具に関する。
【背景技術】
【０００２】
従来から、互いに噛合するギアにより供給リールに巻回された修正転写テープを塗膜転写具本体の先端に配設される転写ヘッドの方向に送出すると同時に、巻取りリールによって使用済みの前記修正転写テープを巻回するテープ送出、並びに、巻取り機構を内蔵する塗膜転写具が知られている。
また、塗膜転写具内に２つの転写ヘッドを配置したものも知られている。このような塗膜転写具は、その塗膜転写具内に２種類の転写テープが配置でき、さらに２種類の転写テープ幅を選択することが可能であるという利点を有している。
【特許文献１】特開平８−２１８７号公報。
【特許文献２】特開２００３−０５４１８９号。
【考案の開示】
【考案が解決しようとする課題】
【０００３】
近年においては、例えば、３ｍｍと５ｍｍと言った修正転写テープの幅の多様化が進んでおり、また、花や動物の絵や模様などが付された塗膜テープも出現し、それら複数種の塗膜転写具を有しているユーザーも少なくない。ここで、塗膜転写具には１つの転写ヘッドしか配置されていないため、２種類の転写テープを転写することが不可能であり、さらに転写部ごとに転写テープ幅を変える必要があるときには、あらかじめ転写幅に応じた別の塗膜転写具を用意しておかなければならなかった。
しかし、従来技術で示した様な比較的大きな塗膜転写具を複数持ち歩くには不便であり、仮に、塗膜転写具自体を小さく構成しても、小さくしたが故に紛失してしまうおそれがあるなどその携帯性に些か開発の余地が残されていた。
ここで、前記２つの転写ヘッドを配置した塗膜転写具もあるが、ケース内に繰出しロールと巻取りロールを２組植設するか、もしくは、同一の支軸に繰出しロールと巻取りロールを重ねて設置しなければならず、その分だけ従来品よりも製品のサイズが大きくなってしまい使用する際に持ちにくく転写しづらいものとなってしまっていた。
【課題を解決するための手段】
【０００４】
本考案は、塗膜転写具本体の先部に筒状部材を着脱自在に配置した塗膜転写具であって、前記筒状部材と塗膜転写具本体の後部を着脱自在な構成となすと共に、筒状部材によって複数の塗膜転写具を連結可能としたことを要旨とする。
即ち、本考案は、筒状部材を介することによって複数の塗膜転写具本体を連結している。そして、その複数の塗膜転写具本体に内蔵させる転写テープの幅やテープの模様などを変えることによって、様々な用途に応じて使用することができるようになる。しかも、前記筒状部材は、不使用時は押圧転写部を覆うこともでき、その押圧転写部の破損は勿論、その押圧転写部に繰り出されている転写テープの破損や基材テープからの塗膜の不要な剥離などを防止している。此は、塗膜転写具本体を押圧転写部に比し、小さくした場合に特に有効となる。塗膜転写具本体を小さくすることによって携帯性は向上するが、外部からの押圧転写部への作用が受けやすくなってしまい、前記の破損などが顕著となってしまう危険性が高まることになる。
【考案の効果】
【０００５】
本考案は、塗膜転写具本体の先部に筒状部材を着脱自在に配置した塗膜転写具であって、前記筒状部材と塗膜転写具本体の後部を着脱自在な構成となすと共に、筒状部材によって複数の塗膜転写具を連結可能としたので、携帯性に優れた塗膜転写具を提供することができる。
【考案を実施するための最良の形態】
【０００６】
１例を図１〜図４に示し説明する。塗膜転写具本体１は、横断面が円形状の細長い形状をなしており、先端側の塗膜転写具部分と後端側の軸穴部２とで構成されており、その軸穴部２は後述する押圧転写部（塗膜転写具本体の先端側）が収納し得る空間部を有している。そして、塗膜転写具１の先端側には、押圧転写部を覆うように円形の筒状部材３が着脱自在に取り付けられている。また、その筒状部材の長さは塗布具転写具本体の先端、即ち、後述する押圧転写部の先端が露出しない長さを有している。尚、その筒状部材３の内壁面の両側部近傍には、放射状に４つの嵌合突起３ａが形成されており、その嵌合突起３ａが塗膜転写具本体１の先端側に形成した円周突起４に係脱可能に係合しているが、その円周突起を円周上の溝部としても良い。また、前記軸穴部２の外周は、塗膜転写具１の中間部よりも小径部となっており、その小径部にも筒状部材２の嵌合突起３ａが係脱する円周突起５が形成されている。しかし、これら突起による嵌合に限定させることなく、例えば、凹部と凸部による嵌合やねじによる螺着などの係脱手段であっても良い。
前記塗膜転写具本体１はケース６とカバー７に分割されているが、圧入などの手段によって固着・開閉が可能なものとなっている。転写テープを使い切ってしまった場合、新たな転写テープと交換するが、その際に開閉し交換するのである。そのケース６の中間部の内面には２個の支軸８、９が一体に植設されている。そして、支軸８には基材テープの片面に塗膜を備えた転写テープ１０を巻回した繰出しロール１１が回転自在に挿着されており、一方、支軸９には使用後の転写テープを回収する巻取りロール１２が挿着されている。これら繰出しロール１１と巻取りロール１２は、連動ロール１３に歯合しており、互いが連動して回動するようになっている。また、ケース６の前方には、転写ヘッド１４が設けられており、その転写ヘッド１４の先端には押圧転写部１５がケース６から突出した状態で配置されている。この様に構成されたケース６の上部にはカバー７が着脱自在に固定されており、ケース６内の構成要素の分解を防止している。
符号６ａはケース６の側壁に形成された窓孔であって、具体的には、繰出しロール１１の周縁近傍の位置に形成されている。万が一、転写テープが緩んでしまった場合に、この窓孔６ａから細い物を差し込み、前記繰出しロールを回転圧せ、緩みを修正し張設するのである。
作用について説明する。押圧転写部１５を覆い塗膜転写具本体１の先端部に係合している筒状部材３を外し、その外した筒状部材３を塗膜転写具本体１の軸穴部２の周状突起５に嵌合させる。次いで、前記押圧転写部１５を転写したい箇所に押し付け、塗膜転写具本体１を移動させると、繰出しロール１１に巻回された転写テープ１０は引き出され、転写ヘッド１４の押圧転写部１５で転写テープ１０の塗膜を被転写体に押圧して転写する。この時、前記繰出しロール１１と巻取りロール１２が連動ロールで連結されている為、転写後の基材テープが巻取りロール１２によって緩むことなく巻き取られる。
【０００７】
前記の塗膜転写具が、本考案においては複数連結されている。詳述すると、前記塗膜転写具本体１の軸穴部２の周状突部５に、接続される次ぎの塗膜転写具の筒状部材３の嵌合突起３ａが嵌合する。この時、接続される塗膜転写具の押圧転写部１５が前方の塗膜転写具本体の軸穴部２に挿入・収納された状態となる（図４参照）。この塗膜転写具の連結の数は特には限定されないが、使用性を考慮すると３個乃至５個が適当である。長すぎてしまうと安定性が悪くなり、違和感が出てきてしまう。
ここで、使用例について説明する。他の転写テープ（塗膜転写具本体）、例えば、幅の違う転写テープ１０を使用したい場合には、使用している塗膜転写具本体を後部に位置する筒状部材３から引き抜く。次いで、その引き抜いた塗膜転写具本体を後部に位置する塗膜転写具の筒状部材に嵌合させる。次いで、幅の違う塗膜転写具本体の前方に嵌合している筒状部材を引き抜いて、前記付け替えた塗膜転写具の後部（軸穴部）に嵌合させる（図４参照）。
また、前記引き抜いた塗膜転写具本体を逆向きにし、その逆向きにした状態で筒状部材に嵌合させることもできる。即ち、互いの押圧転写部１５を逆向きに連結することによって各々の押圧転写部が露出し、此によって、連結し直すことなく幅の違う転写テープなどを使用することができるようになる（図５参照）。
尚、前記塗膜転写具本体１のケース６とカバー７は、その塗膜転写具本体１内に収納されている転写テープ１０を視認できるように透明、或は半透明な樹脂で形成するのが望ましいが、不透明な樹脂や一部紙等の材質で形成してもよく、その材質を特に限定する必要はない。また、本実施例では塗膜転写具本体１のケース６、カバー７、並びに、筒状部材３を図４に示すように横断面形状を円形状とし細長い形状としているが、例えば、楕円形や多角形としても良く、その他の適宜な形状を選択することも可能である。塗膜転写具の横断面形状を円形状とし、使用する塗膜転写具本体、および使用しない塗膜転写具本体を直列状に連結することによって、細長い形状にすることができるため、一般的な筆記具のような形状となり、それ故に、筆記具を持つような把持の仕方で持つことができ、塗膜転写の際に持ちやすく、かつ転写しやすいという効果が発生する。
【０００８】
また、前記複数の塗膜転写具本体１内に配置される転写テープ１０の幅は、一種類でそろえることも可能であるが、様々な適用性を考慮すると別の幅の転写テープを配置するのが好ましい。例えば、３ｍｍ幅や５ｍｍ幅のものである。
さらに、前記塗膜転写具本体１内の転写テープ１０は、塗膜として修正塗膜や蛍光塗膜、接着用粘着塗膜、装飾用塗膜、あるいは、暗記能率増進用塗膜のうちいずれも選択することができ、かつ、複数種のものを選択することもできる。そして、更には、塗膜転写具本体１を鉛筆や色鉛筆、シャープペンシルやボールペン、サインペン、マーカーペン、棒状消しゴムなどにしても良く、また、これらの物と前記の転写テープを有する塗膜転写具本体と組み合わせても良い。用途に応じて選択的に使用可能なものとなる。
【図面の簡単な説明】
【０００９】
【図１】本考案の１例を示す縦断面図。
【図２】図１のＸ−Ｘ線断面図。
【図３】図１の横断面図。
【図４】使用状態を示す縦断面図。
【図５】他の使用状態を示す縦断面図。
【符号の説明】
【００１０】
１    塗膜転写具本体
２    軸穴部
３    筒状部材
４    周状突起
５    周状突起
６    ケース
７    カバー
８    支軸
９    支軸
１０  転写テープ
１１  繰出しロール
１２  巻取りロール
１３  連動ロール
１４  転写ヘッド
１５  押圧転写部
【図１】
0003108092.tif 000003
【図２】
0003108092.tif 000004
【図３】
0003108092.tif 000005
【図４】
0003108092.tif 000006
【図５】
0003108092.tif 000007